(57)【要約】【課題】無線基地局装置が保有する無線リソースを無駄にすることなく、ベースバンド信号処理部に割り当てることを可能にする。【解決手段】無線基地局装置は、物理的に分割された複数のコンポーネントを有し、前記複数のコンポーネントのそれぞれが複数のグループに定義され、配下の複数の移動端末で共用される第１の無線リソースと、前記複数の移動端末毎に個別に割り当てられる第２の無線リソースとのいずれかに関係する信号を前記複数のグループのそれぞれが処理する信号処理部と；前記複数のコンポーネントのそれぞれに定義された前記複数のグループのそれぞれを単位として、前記第１の無線リソース及び前記第２の無線リソースのいずれかを割り当てるリソース割当部とを備える。【選択図】図２
2009200899.tif 000002
【特許請求の範囲】
【請求項１】
物理的に分割された複数のコンポーネントを有し、前記複数のコンポーネントのそれぞれが複数のグループに定義され、配下の複数の移動端末で共用される第１の無線リソースと、前記複数の移動端末毎に個別に割り当てられる第２の無線リソースとのいずれかに関係する信号を前記複数のグループのそれぞれが処理する信号処理部と；
前記複数のコンポーネントのそれぞれに定義された前記複数のグループのそれぞれを単位として、前記第１の無線リソース及び前記第２の無線リソースのいずれかを割り当てるリソース割当部と；
を備える無線基地局装置。
【請求項２】
前記第１の無線リソース及び前記第２の無線リソースが、共通制御チャネル及び個別制御チャネルである
請求項１記載の無線基地局装置。
【請求項３】
前記リソース割当部は、故障履歴及び再開時の診断結果に基づいて割り出した故障発生率の最も低い前記コンポーネントにおける前記グループの少なくとも１つに前記第１の無線リソースを優先的に割り当てる
請求項１記載の無線基地局装置。
【請求項４】
物理的に分割された複数のコンポーネントのそれぞれが複数のグループに定義され、配下の複数の移動端末で共用される第１の無線リソースと、前記複数の移動端末毎に個別に割り当てられる第２の無線リソースとのいずれかに関係する信号を前記複数のグループのそれぞれが処理するステップと；
前記複数のコンポーネントのそれぞれに定義された前記複数のグループのそれぞれを単位として、前記第１の無線リソース及び前記第２の無線リソースのいずれかを割り当てるステップと；
を備える無線基地局装置における無線リソース割当方法。
【請求項５】
前記第１の無線リソース及び前記第２の無線リソースが、共通制御チャネル及び個別制御チャネルである
請求項４記載の無線基地局装置における無線リソース割当方法。
【請求項６】
故障履歴及び再開時の診断結果に基づいて割り出した故障発生率の最も低い前記コンポーネントにおける前記グループの少なくとも１つに前記第１の無線リソースを優先的に割り当てるステップを更に備える
請求項４記載の無線基地局装置における無線リソース割当方法。
【発明の詳細な説明】
【技術分野】
【０００１】
本発明は、移動無線通信システムに関し、特に無線リソースの有効活用機能を有する無線基地局装置に関する。
【背景技術】
【０００２】
第３世代の移動無線通信システムを支える無線通信技術として、例えば符号分割多元接続（ＣＤＭＡ：Code Division Multiple Access）を広帯域化した広帯域符号分割多元接
続（Ｗ−ＣＤＭＡ：Wideband Code Division Multiple Access）などが存在する。
【０００３】
このような無線通信技術におけるパケット伝送のための共通チャネル・個別チャネル切替技術では、無線伝送路（無線チャネル）の上り下り共に、トラフィックの特性に応じて共通チャネル（厳密には、共通制御チャネル（ＣＣＣＨ：Common Control Channel））及び個別チャネル（厳密には、個別制御チャネル（ＤＣＣＨ：Dedicated Control Channel
））のいずれかを選択する。
【０００４】
共通チャネルは、トラフィックの少ないときに、複数の移動端末（移動局）で共有して使用され、例えば関数トラフィック（低トラフィック）のパケット伝送に有効である。個別チャネルは、トラフィックの多いときに、複数の移動端末毎に個別に割り当てられ、高密度トラフィック（高トラフィック）のパケット伝送に有効である。
【０００５】
従来、移動無線通信システムを構成する無線基地局装置（基地局）は、物理的に分割された複数のコンポーネント（構成要素）を有するベースバンド信号処理部を備えている。
【０００６】
このベースバンド信号処理部の各コンポーネントに無線リソースを割り当てるとき、同一のコンポーネントに対して無線リソースの共通チャネル（共通チャネルリソースと記載することもある）及び個別チャネル（個別チャネルリソースと記載することもある）を混在して割り当てることは行っていない。したがって、無線リソースの効率的な活用が図れていない。
【０００７】
また、従来のリソース管理においては、共通チャネルリソースを収容する１つのコンポーネントを任意に半固定的に決定しているので、故障発生率の高いコンポーネントに共通チャネルリソースが設定（割当）された場合、通信サービスの運用中断などの問題が生じることを免れない。なお、ベースバンド信号処理部の各コンポーネントの故障（障害）は、ハードウェアの劣化及び運用時の負荷などが主な要因となり、パリティエラー及びデータ欠落などが生じる。
【０００８】
図１を参照して詳述すると、ここに示すベースバンド信号処理部は、物理的に分割された複数のコンポーネントとして、ＢＢユニット＃１〜＃７を有する。ＢＢユニット＃１〜＃７の最大収容可能チャネル（リソース）数Ｘは同一である。
【０００９】
現状態では、ＢＢユニット＃１には、最大収容可能チャネル数Ｘの内のチャネル数Ｘ１が共通チャネルリソースとして割り当てられていて、残りのチャネル数は空きリソースである。また、ＢＢユニット＃２〜＃７には、最大収容可能チャネル数Ｘの内のチャネル数Ｘ２〜Ｘ７が個別チャネルリソースとしてそれぞれ割り当てられていて、残りのチャネル数はそれぞれ空きリソースである。
【００１０】
ここで、ＢＢユニット＃１においては、最大収容可能チャネル数Ｘと割当チャネル数Ｘ
１との差分の残りのチャネル数は空きリソースであるが、この空きリソースに対して、個別チャネルリソースを混在して設定することは行っていない。
【００１１】
他に関係する先行技術として、下記の特許文献１，２が存在する。
【特許文献１】特開２００７−４９５８０号公報
【特許文献２】特開２００１−１１９７５２号公報
【発明の開示】
【発明が解決しようとする課題】
【００１２】
課題は、無線基地局装置が保有する無線リソースを無駄にすることなく、ベースバンド信号処理部に割り当てることを可能にする技術を提供することにある。
【００１３】
他の課題は、通信サービス運用の中断が発生する確率の低減を可能にする技術を提供することにある。
【課題を解決するための手段】
【００１４】
上記課題を解決するために、無線基地局装置は、物理的に分割された複数のコンポーネントを有し、前記複数のコンポーネントのそれぞれが複数のグループに定義され、配下の複数の移動端末で共用される第１の無線リソースと、前記複数の移動端末毎に個別に割り当てられる第２の無線リソースとのいずれかに関係する信号を前記複数のグループのそれぞれが処理する信号処理部と；
前記複数のコンポーネントのそれぞれに定義された前記複数のグループのそれぞれを単位として、前記第１の無線リソース及び前記第２の無線リソースのいずれかを割り当てるリソース割当部とを備える。
【００１５】
この構成において、前記第１の無線リソース及び前記第２の無線リソースが、共通制御チャネル及び個別制御チャネルである。
【００１６】
また、前記リソース割当部は、故障履歴及び再開時の診断結果に基づいて割り出した故障発生率の最も低い前記コンポーネントにおける前記グループの少なくとも１つに前記第１の無線リソースを優先的に割り当てる。
【００１７】
また、前記リソース割当部は、前記故障発生率が次に低い前記コンポーネントを故障発生時に前記第１の無線リソースを割り当てるための予備のコンポーネントとして確保する。
【００１８】
さらに、前記リソース割当部は、故障発生時に前記第１の無線リソースを割り当てるための前記予備のコンポーネントがない状態で、前記第１の無線リソースを割り当てた前記コンポーネントに故障が発生したとき、他のコンポーネントにおける前記グループを単位として前記第１の無線リソースの再割り当てを行う。
【発明の効果】
【００１９】
開示した無線基地局装置によれば、ベースバンド信号処理部を構成する物理的に分割された複数のコンポーネントのそれぞれを複数のグループに定義し、各コンポーネントに対して、グループ単位での共通チャネルリソース及び個別チャネルリソースのいずれかを設定可能とすることにより、割当の自由度を向上し、保有する無線リソースを有効活用することができる。
【００２０】
また、開示した無線基地局装置によれば、予め故障履歴などのデータをデータベースに保存しておくことで、共通チャネルリソースを収容するためのコンポーネントを選択する
際、故障発生率の低いコンポーネントを選択することができる。この結果、通信サービス運用の中断が発生する確率を低減し、安定性の高い移動無線通信システムが構築可能となる。
【００２１】
他の課題、特徴及び利点は、図面及び特許請求の範囲とともに取り上げられる際に、以下に記載される明細書（発明を実施するための最良の形態）を読むことにより明らかになるであろう。
【発明を実施するための最良の形態】
【００２２】
以下、添付図面を参照して、さらに詳細に説明する。図面には好ましい実施形態が示されている。しかし、多くの異なる形態で実施されることが可能であり、本明細書に記載される実施形態に限定されると解釈されてはならない。むしろ、これらの実施形態は、本明細書の開示が徹底的かつ完全となり、当業者に本発明の範囲を十分に伝えるように提供される。全体を通じて同様の番号・符号は同様の要素を指す。
【００２３】
［無線基地局装置の構成及び機能］
一実施の形態を示す図２を参照すると、移動無線通信システムは無線基地局装置ＢＴＳ（Base Transceiver Station）を備える。この移動無線通信システムにおいては、第１の無線リソース及び第２の無線リソースは共通チャネル（共通制御チャネル）及び個別チャネル（個別制御チャネル）である。
【００２４】
この無線基地局装置（基地局）ＢＴＳは、有線伝送路を通して上位装置（図示省略）との信号送受信を行う有線伝送路インタフェース部１０と、発呼、着呼、及び位置登録などの呼処理に関する信号送受信を行うと共に、無線リソースの管理を行う呼処理部２０とを備えている。
【００２５】
無線基地局装置ＢＴＳは、各種データベース（３１，３２，３３，・・・）を有し、不揮発性メモリから成る記憶部３０と、呼処理部２０からの制御信号に基づいて、無線リソースの予約及び設定（特に、限定を要しないときは、両者を「割当」と総称することもある）に関する動作を行うベースバンド信号処理部４０とを更に備えている。このベースバンド信号処理部４０は、ベースバンド（ＢＢ）信号から無線周波数（ＲＦ）信号への変調機能及び無線周波数信号からベースバンド信号への復調機能を有する。
【００２６】
無線基地局装置ＢＴＳは、ＲＦ信号の電力増幅（変換）を行う増幅部５０と、無線伝送路（無線チャネル）を通して配下の複数の移動端末（ＭＳ：Mobile Station）（図示省略）とＲＦ信号を送受信する送受信アンテナ６０などを更に備えている。
【００２７】
この無線基地局装置ＢＴＳにおいては、上位装置（例えば、無線ネットワーク制御装置（ＲＮＣ：Radio Network Controller））からの制御信号（Control Planeの信号）を有
線伝送路インタフェース部１０で受信し、その制御信号を呼処理部２０の信号送受信部２１にて受信する。
【００２８】
信号送受信部２１は受信した制御信号の内容をリソース管理部２２に送信する。リソース管理部２２は、信号内容の解析を行い、無線リソースとしてのベースバンド信号処理リソースの割当を行うために、ベースバンド信号処理部４０に通信処理部２３を経由して制御信号を伝送する。
【００２９】
ベースバンド信号処理部４０は、受信した制御信号に基づいてベースバンド信号処理リソースを確保した後、獲得結果を呼処理部２０の通信処理部２３に返信する。このリソース獲得結果は、通信処理部２３から信号送受信部２１、リソース管理部２２及び有線伝送
路インタフェース部１０を経由して上位装置へ送信される。
【００３０】
その後、無線基地局装置ＢＴＳは、配下の移動端末との間の無線チャネルの設定を行い、ユーザ信号（User Planeの信号）をベースバンド信号処理部４０と有線伝送路インタフェース部１０との接続線を介して、上位装置及び移動端末と送受信する。
【００３１】
この無線基地局装置ＢＴＳにおいては、ベースバンド信号処理部４０は、物理的に分割された複数のコンポーネント（構成要素）としてＢＢユニット＃１〜＃７を有し、ＢＢユニット＃１〜＃７のそれぞれが複数のグループ＃１〜＃３に論理的に定義されている（図３参照）。ＢＢユニット＃１〜＃７の最大収容可能チャネル（リソース）数は同一であり、グループ＃１〜＃３の収容可能チャネルも同一である。
【００３２】
このベースバンド信号処理部４０においては、複数の移動端末で共用される低トラフィック（関数トラフィック）のパケット伝送のための共通チャネル（第１の無線リソース）と、複数の移動端末毎に個別に割り当てられる高トラフィック（高密度トラフィック）のパケット伝送のための個別チャネル（第２の無線リソース）とのいずれかに関係する信号を複数のグループ＃１〜＃３のそれぞれが処理する。
【００３３】
したがって、リソース管理部２２は、複数のＢＢユニット＃１〜＃７のそれぞれに定義された複数のグループ＃１〜＃３のそれぞれを単位として、共通チャネル及び個別チャネルのいずれかを割り当てることが可能である。
【００３４】
このとき、リソース管理部２２は、同一ＢＢユニットの各グループに共通チャネル及び個別チャネルの一方を割り当てること（混在割当）が可能である。つまり、リソース管理部２２は、ベースバンド信号処理部４０への無線リソースの割当処理において、運用情報に基づいて、ＢＢユニット＃１〜＃７へ割り当てる共通チャネルをグループ単位に予約及び設定することで、共通チャネル及び個別チャネルの無線リソースを同一ＢＢユニットに混在させて割り当てることが可能である。
【００３５】
また、リソース管理部２２は、ベースバンド信号処理部４０への無線リソースの割当処理において、共通チャネルについては、故障履歴及び再開時の自己診断結果（再開時のＢＢユニット診断結果）から割り出した故障（障害）発生率の低いＢＢユニットを優先的に予約及び設定する。
【００３６】
また、リソース管理部２２は、上記無線リソースの割当処理において、予約ユニット及び予備ユニットを決定する際、ＢＢユニット＃１〜＃７の故障履歴及び再開時のＢＢユニット診断結果に基づいて、故障発生率の低いＢＢユニットを割り出し、優先的に予約及び設定を行う。
【００３７】
また、リソース管理部２２は、上記無線リソースの割当処理において、共通チャネルを設定したＢＢユニットにおいて、故障が発生した際に、通信サービス運用が中断しないように、予め共通チャネル用のＢＢユニットを予備（障害発生時の再設定先）として確保する。
【００３８】
さらに、リソース管理部２２は、上記無線リソースの割当処理において、予備ユニットがない状態で、共通チャネルを収容したＢＢユニットの故障が発生した場合に、グループ単位での再割り当てを行う。
【００３９】
これにより、この移動無線通信システムにおいては、使用可能な無線リソースの有効活用と、運用中断の発生確率が低く安定性の高い運用とが可能となる。
【００４０】
［無線基地局装置の動作］
次に、図２に示す一実施の形態の移動無線通信システムにおける無線基地局装置ＢＴＳの動作例を関連図を併せ参照して説明する。
【００４１】
（予約ユニット選択処理）
無線基地局装置ＢＴＳにおけるリソース管理部２２は、初期起動時（電源投入時など）に、運用情報に基づいて、必要な共通チャネル（以下、共通ＣＨと記載することもある）リソース数を算出し、共通チャネルを設定する対象のＢＢユニットの予約（リザーブ）を行う。このとき、リソース管理部２２は、図４に示す予約ユニット選択処理（共通チャネルリソースの予約処理）フローに基づいて、故障発生率の最も低いＢＢユニットを選択する。
【００４２】
なお、ベースバンド信号処理部４０は、図３に示すように、物理的に分割された複数のコンポーネントとしてＢＢユニット＃１〜＃７を有し、ＢＢユニット＃１〜＃７のそれぞれが複数のグループ＃１〜＃３に論理的に定義されている構成とする。ＢＢユニット＃１〜＃７の最大収容可能チャネル（リソース）数は同一であり、グループ＃１〜＃３の収容可能チャネルも同一である。
【００４３】
リソース管理部２２は、図４の予約ユニット選択処理フローに示すように、次の手順で初期起動時の共通チャネルリソースの予約処理を行う。
【００４４】
Ｓ４１：初期起動時、運用情報パラメータデータベース３３（図５Ａ）から予め設定されている運用情報パラメータと、装置構成情報データベース３１（図５Ｂ）から装置構成情報とをそれぞれ読み出す。ここで、運用情報パラメータは、運用セル情報として、セクタ（セル）番号及びキャリア（搬送波）番号を含み、各運用セル情報に対応して運用有無情報が格納されている。また、装置構成情報は、ＢＢユニット番号、グループ番号、及び予約・設定状態情報を含む。
【００４５】
Ｓ４２：読み出した運用情報パラメータ及び装置構成情報に基づいて、共通ＣＨリソース数として必要な使用リソース数を算出する。
【００４６】
Ｓ４３：ＢＢユニット＃１〜＃７の診断を実施する。この診断においては、呼処理部２０が有する診断プログラムからの指示に基づいて、リソース管理部２２がＢＢユニット＃１〜＃７のハードウェア構成に対して正常性チェックを行う。
【００４７】
Ｓ４４：この診断結果に基づいて、発生故障分類データベース３４（図５Ｃ）を参照して発生した故障分類情報を得た後、ＢＢユニット毎の故障履歴データベース３２１（図５Ｄ）へ故障発生日とともに登録する。また、全ＢＢユニットの故障履歴データベース３２２（図５Ｅ）へ故障が発生したＢＢユニットの故障発生率を累積加算して保持する。この処理をＢＢユニット数分、繰り返す。
【００４８】
Ｓ４５：全ＢＢユニットの故障履歴データベース３２２より故障発生率の最も低いＢＢユニットを予約ユニットとして特定し、装置構成情報データベース３１へ登録する。なお、全てのＢＢユニットの故障発生率が同一である場合は、最若番のＢＢユニットを選択する。
【００４９】
ここでは、上述した予約ユニット選択処理の結果、ＢＢユニット＃３のグループ＃１，＃２の保有する無線リソースが共通ＣＨリソースとして予約される（図３中のＡ参照）。
【００５０】
（予備ユニット選択処理）
無線基地局装置ＢＴＳにおけるリソース管理部２２は、次の手順で初期起動時の予備ユニット選択処理を行う。
【００５１】
リソース管理部２２は、初期起動時に実行した上記予約ユニット選択処理の後、図６に示す予備ユニット選択処理フローに基づき、リソース予約を行ったＢＢユニット（ここでは、ＢＢユニット＃３）の次に故障発生率の低いＢＢユニットを予備ユニットとして設定する。
【００５２】
Ｓ６１：予約ユニット選択後に、故障履歴データベース３２から次に故障発生率の低いＢＢユニット（つまり、予約ユニットを除き故障発生率の最も低いＢＢユニット）を予備ユニットとして選択し、装置構成情報データベース３１へ登録（設定）する。なお、全てのＢＢユニットの故障発生率が同一であれば、最老番のＢＢユニットを選択する。
【００５３】
ここでは、上述した予備ユニット選択処理の結果、ＢＢユニット＃７（グループ＃１〜＃３）が予備ユニットとして設定される（図３中のＢ参照）。
【００５４】
（共通ＣＨ及び個別ＣＨ混在割当処理）
無線基地局装置ＢＴＳにおいて、ベースバンド信号処理部４０が図７に示す構成を採るとき、リソース管理部２２は次の手順で共通ＣＨ及び個別ＣＨ混在割当処理を行う。
【００５５】
リソース管理部２２は、上述した予約ユニット及び予備ユニット選択処理の後に、共通ＣＨリソースを予約ユニットに設定する（図７中のＡ参照）。ここでは、ＢＢユニット＃３のグループ＃１，＃２に共通ＣＨリソースが設定される。
【００５６】
次に、リソース管理部２２は個別ＣＨリソースを空きユニットの各グループに順次設定する（図７中のＢ参照）。
【００５７】
また、リソース管理部２２は、共通ＣＨリソース収容ユニット及び予備ユニット以外の空きリソースが十分ない場合、共通ＣＨリソースが設定されているＢＢユニット＃３（グループ＃３）に個別ＣＨリソースを混在させて設定する（図７中のＣ参照）。これらの処理の結果は装置構成情報データベース３１に反映される（図５Ｂ）。
【００５８】
上述した混在割当処理において、リソース管理部２２は、図８の個別ＣＨリソース割当処理フローに示すように、次の手順で個別ＣＨリソースの割当処理を行う。
【００５９】
Ｓ８１：記憶部３０において予め決められた記憶領域の次回リソース設定位置データ３５を参照して、個別ＣＨリソースの次回設定位置（ＢＢユニット番号及びグループ番号）を読み出す。このとき、装置構成情報データベース３１を参照した共通ＣＨ予約状況に基づいて、個別ＣＨリソースの設定位置を決定する。
【００６０】
Ｓ８２，Ｓ８３：共通ＣＨリソース収容ユニット及び予備ユニット以外のＢＢユニット分ループしながら、該当ＢＢユニット及びグループに個別ＣＨリソースを設定可能か判定し、空きリソースがあれば設定を行う。また、共通ＣＨリソース収容ユニット及び予備ユニット以外のＢＢユニット分ループし、空きリソースがない場合は、ループ処理を抜けて次処理Ｓ８４へ進む。
【００６１】
Ｓ８３，Ｓ８４：共通ＣＨリソース収容ユニットに空きリソースがあるか判定し、空きがある場合、個別ＣＨリソースを設定する。空きがない場合は、次処理Ｓ８５へ進む。
【００６２】
Ｓ８３，Ｓ８５，Ｓ８６：予備ユニットに空きリソースがあるか判定し、空きがある場合、個別ＣＨリソースを設定する。空きがない場合は、リソース設定不可とする。
【００６３】
Ｓ８７：処理Ｓ８３またはＳ８６に続いて、次回リソース設定位置データ３５を更新する。
【００６４】
（障害発生時の個別ＣＨリソース再割当処理）
無線基地局装置ＢＴＳにおいて、ベースバンド信号処理部４０が図９に示す構成を採るとき、リソース管理部２２は共通ＣＨリソース収容ＢＢユニットの障害発生時に通信サービス運用を中断させないために、個別ＣＨリソース再割当処理を行う。
【００６５】
リソース管理部２２は、呼処理部２０が有する診断プログラムからの通知に基づいてＢＢユニット＃３に障害が発生したことを検出した場合、装置構成情報データベース３１を参照して、ＢＢユニット＃３のグループ＃１，＃２に共通ＣＨリソースが収容されている状態で（図９中のＡ参照）、かつ予備ユニットが存在せず、グループ単位での空きリソースのみが存在していることを検出する。
【００６６】
この状態を検出したリソース管理部２２は、ＢＢユニット＃３のグループ＃１の共通ＣＨリソースをＢＢユニット＃５のグループ＃２へ、かつＢＢユニット＃３のグループ＃２の共通ＣＨリソースをＢＢユニット＃１のグループ＃３へ再設定する（図９中のＢ参照）。
【００６７】
このように、共通ＣＨリソースを再設定することで運用中断の発生を回避できる（図９中のＣ参照）。これらの処理の結果は装置構成情報データベース３１及び故障履歴データベース３２に反映される。
【００６８】
リソース管理部２２は、図１０の個別ＣＨリソース再割当処理フローに示すように、次の手順で障害発生時の個別ＣＨリソースの再割当処理を行う。
【００６９】
Ｓ１０１，Ｓ１０２：共通ＣＨリソース収容ＢＢユニット＃３に障害が発生したとき、予備ユニットが存在するか判定を行う。予備ユニットがある場合、予備ユニットへ共通ＣＨリソースの再設定を行い、装置構成情報データベース３１を更新する。予備ユニットがない場合、次処理Ｓ１０３へ進む。
【００７０】
Ｓ１０３，Ｓ１０４：予備ユニット以外に空きユニットがあるか判定を行う。空きユニットがある場合、空きユニットへ共通ＣＨリソースの再設定を行い、装置構成情報データベース３１を更新する。空きユニットがない場合、次処理Ｓ１０５へ進む。
【００７１】
Ｓ１０５：共通ＣＨ収容グループ分ループしながら、設定可能な空きグループがあるか検索する。
【００７２】
Ｓ１０６：空きグループがある場合、グループ単位で共通ＣＨ収容リソースの再設定を行い、装置構成情報データベース３１を更新する。
【００７３】
Ｓ１０７：空きグループがない場合、個別ＣＨリソースの収容数が一番少ないグループへの個別ＣＨリソース割当を禁止し、空きグループが発生するまで待ちとなる。
【００７４】
［変形例］
上述した一実施の形態における処理はコンピュータで実行可能なプログラムとして提供され、ＣＤ−ＲＯＭやフレキシブルディスクなどの記録媒体、さらには通信回線を経て提
供可能である。
【００７５】
また、上述した一実施の形態における各処理はその任意の複数または全てを選択し組合せて実施することもできる。
【００７６】
さらに、上述した一実施の形態においては、無線リソースとして共通チャネル及び個別チャネルを対象にしたが、他の無線チャネルであっても同様に実施可能である。
【００７７】
［その他］
上述した一実施の形態及び変形例に関し、更に以下の付記を開示する。
【００７８】
（付記１）物理的に分割された複数のコンポーネントを有し、前記複数のコンポーネントのそれぞれが複数のグループに定義され、配下の複数の移動端末で共用される第１の無線リソースと、前記複数の移動端末毎に個別に割り当てられる第２の無線リソースとのいずれかに関係する信号を前記複数のグループのそれぞれが処理する信号処理部と；
前記複数のコンポーネントのそれぞれに定義された前記複数のグループのそれぞれを単位として、前記第１の無線リソース及び前記第２の無線リソースのいずれかを割り当てるリソース割当部と；
を備える無線基地局装置。
【００７９】
（付記２）前記第１の無線リソース及び前記第２の無線リソースが、共通制御チャネル及び個別制御チャネルである
付記１記載の無線基地局装置。
【００８０】
（付記３）前記リソース割当部は、故障履歴及び再開時の診断結果に基づいて割り出した故障発生率の最も低い前記コンポーネントにおける前記グループの少なくとも１つに前記第１の無線リソースを優先的に割り当てる
付記１記載の無線基地局装置。
【００８１】
（付記４）前記リソース割当部は、前記故障発生率が次に低い前記コンポーネントを故障発生時に前記第１の無線リソースを割り当てるための予備のコンポーネントとして確保する
付記３記載の無線基地局装置。
【００８２】
（付記５）前記リソース割当部は、故障発生時に前記第１の無線リソースを割り当てるための前記予備のコンポーネントがない状態で、前記第１の無線リソースを割り当てた前記コンポーネントに故障が発生したとき、他のコンポーネントにおける前記グループを単位として前記第１の無線リソースの再割り当てを行う
付記４記載の無線基地局装置。
【００８３】
（付記６）物理的に分割された複数のコンポーネントのそれぞれが複数のグループに定義され、配下の複数の移動端末で共用される第１の無線リソースと、前記複数の移動端末毎に個別に割り当てられる第２の無線リソースとのいずれかに関係する信号を前記複数のグループのそれぞれが処理するステップと；
前記複数のコンポーネントのそれぞれに定義された前記複数のグループのそれぞれを単位として、前記第１の無線リソース及び前記第２の無線リソースのいずれかを割り当てるステップと；
を備える無線基地局装置における無線リソース割当方法。
【００８４】
（付記７）前記第１の無線リソース及び前記第２の無線リソースが、共通制御チャネル
及び個別制御チャネルである
付記６記載の無線基地局装置における無線リソース割当方法。
【００８５】
（付記８）故障履歴及び再開時の診断結果に基づいて割り出した故障発生率の最も低い前記コンポーネントにおける前記グループの少なくとも１つに前記第１の無線リソースを優先的に割り当てるステップを更に備える
付記６記載の無線基地局装置における無線リソース割当方法。
【００８６】
（付記９）前記故障発生率が次に低い前記コンポーネントを故障発生時に前記第１の無線リソースを割り当てるための予備のコンポーネントとして確保するステップを更に備える
付記８記載の無線基地局装置における無線リソース割当方法。
【００８７】
（付記１０）故障発生時に前記第１の無線リソースを割り当てるための前記予備のコンポーネントがない状態で、前記第１の無線リソースを割り当てた前記コンポーネントに故障が発生したとき、他のコンポーネントにおける前記グループを単位として前記第１の無線リソースの再割り当てを行うステップを更に備える
付記９記載の無線基地局装置における無線リソース割当方法。
【図面の簡単な説明】
【００８８】
【図１】従来のベースバンド信号処理部における共通チャネル及び個別チャネルの割当方法を説明するための図。
【図２】一実施の形態の移動無線通信システムにおける無線基地局装置の詳細構成を示すブロック図。
【図３】一実施の形態の予約ユニット選択及び予備ユニット選択状態を示す図。
【図４】一実施の形態の予約ユニット選択処理を説明するためのフローチャート。
【図５Ａ】一実施の形態の運用情報パラメータデータベースの構成を示す図。
【図５Ｂ】一実施の形態の装置構成情報データベースの構成を示す図。
【図５Ｃ】一実施の形態の発生故障分類データベースの構成を示す図。
【図５Ｄ】一実施の形態のＢＢユニット毎の故障履歴データベースの構成を示す図。
【図５Ｅ】一実施の形態の全ＢＢユニットの故障履歴データベースの構成を示す図。
【図６】一実施の形態の予備ユニット選択処理を説明するためのフローチャート。
【図７】一実施の形態の共通チャネル及び個別チャネル混在割当状態を示す図。
【図８】一実施の形態の個別チャネルリソース割当処理を説明するためのフローチャート。
【図９】一実施の形態の障害発生時の共通チャネルリソース再設定状態を示す図。
【図１０】一実施の形態の障害発生時の共通チャネルリソース再設定処理を説明するためのフローチャート。
【符号の説明】
【００８９】
ＢＴＳ  無線基地局装置
１０    有線伝送路インタフェース部
２０    呼処理部
２１    信号送受信部
２２    リソース管理部
２３    通信処理部
３０    記憶部
３１    装置構成情報データベース
３２    故障履歴データベース
３３    運用情報パラメータデータベース
３４    発生故障分類データベース
４０    ベースバンド信号処理部
５０    増幅部
６０    送受信アンテナ
【図１】
2009200899.tif 000003
【図２】
2009200899.tif 000004
【図３】
2009200899.tif 000005
【図４】
2009200899.tif 000006
【図５Ａ】
2009200899.tif 000007
【図５Ｂ】
2009200899.tif 000008
【図５Ｃ】
2009200899.tif 000009
【図５Ｄ】
2009200899.tif 000010
【図５Ｅ】
2009200899.tif 000011
【図６】
2009200899.tif 000012
【図７】
2009200899.tif 000013
【図８】
2009200899.tif 000014
【図９】
2009200899.tif 000015
【図１０】
2009200899.tif 000016